(57)【要約】【課題】  医療行為の発生源での情報入力により、その後に発生する各種処理へ該入力した情報を適切に分配する。【解決手段】  医療情報管理サーバ７は、ＬＡＮ６を介して端末装置５と情報を送受する第１の情報送受機能７１と、端末装置５からの検査情報を判別する実施情報判別機能７２と、判別した検査情報を送信するために情報処理サブシステム４を振り分ける検査情報送信振り分け機能７３と、端末装置５からの情報参照要求を情報処理サブシステム４に転送する情報参照要求転送機能７４と、ＷＡＮ３を介して情報処理サブシステム４と情報を送受する第２の情報送受機能７５の各種機能を有している。【選択図】  図６
2005189994.tif 000002
【特許請求の範囲】
【請求項１】
医療行為に関する情報の入力及び表示を行う端末装置と、
前記端末装置と第１のネットワークを介して接続された医療情報管理サーバと
を含む院内医療情報システムと、
前記医療情報管理サーバと第２のネットワークを介して接続された複数の情報処理サブシステムと
からなる医療情報処理システムにおいて、
前記端末装置は、実施した前記医療行為の実施情報を前記医療情報管理サーバに登録する実施情報登録手段を有し、
前記医療情報管理サーバは、前記端末装置により登録された前記医療行為の前記実施情報に基づく関連実施情報を、少なくとも１つ以上の前記情報処理サブシステムに転送する関連実施情報転送手段を有する
ことを特徴とする医療情報処理システム。
【請求項２】
前記第１のネットワークは院内に配置されたローカルエリアネットワークであり、
前記第２のネットワークは院外に配置されたワイドエリアネットワークである
ことを特徴とする請求項１に記載の医療情報処理システム。
【請求項３】
前記端末装置は、
少なくとも医療実施情報を含む情報を入力する情報入力手段と、各種情報を表示する情報表示手段と、各種情報の送受信を行う情報送受信手段とを備え、
前記医療情報管理サーバは、
前記端末装置及び前記情報処理サブシステムとの情報送受信を行う情報送受信手段と、前記端末装置の前記情報入力手段にて入力された前記情報の種類を判別する情報識別手段と、前記情報識別手段で識別された情報に基づき、少なくとも１つ以上の情報の送信先の前記情報処理サブシステムを決定する情報送信先決定手段を備え、
前記情報送信先決定手段にて決定された送信先の前記情報処理サブシステムへ前記関連実施情報を前記関連実施情報転送手段にて転送する
ことを特徴とする請求項１または２に記載の医療情報処理システム。
【請求項４】
前記端末装置の前記情報入力手段は、
透明性の被タッチ領域を有し、前記情報表示手段上に設けられたタッチパネル手段と、
前記タッチパネル手段の前記被タッチ領域に対するタッチ操作位置を検出するタッチ位置検出手段と、
前記タッチ位置検出手段の検出結果に基づき、前記情報入力手段に該当する情報をセットするタッチ操作情報入力手段を有する
ことを特徴とする請求項３に記載の医療情報処理システム。
【請求項５】
前記情報入力手段によって入力される情報は、医療実施情報及び医療情報参照要求情報を有し、
前記情報送信先決定手段は、
前記情報識別手段で識別された情報が前記医療実施情報である場合には、少なくとも２つ以上の送信先を決定し、
前記情報識別手段で識別された情報が前記医療情報参照要求情報である場合には、該情報参照要求情報に応じた送信先を決定する
ことを特徴とする請求項３または４に記載の医療情報処理システム。
【発明の詳細な説明】
【技術分野】
【０００１】
本発明は、院内に配置された院内医療情報システム及び院外に配置された情報処理サブシステムとからなる医療情報処理システムに関する。
【背景技術】
【０００２】
近年のＩＴ促進に伴い、病院においても情報管理の電子化が進んでいる。例えば、病院内では、各検査のオーダ予約・発行から、検査部門における検査、会計処理、および検査薬剤・機材に関する受発注等を電子的に行う各々のシステム、オーダリングシステム、検査部門システム、医事会計システム、物流システム等が導入され、それぞれ連携して稼動している。
【０００３】
これらのシステムを利用し、現在では、医療行為が実施される際、それぞれのシステムにデータを入力し、そのシステムの役目となっている処理を実行している。
【０００４】
また、これらの機能を病院が利用するため、すべてのシステムを病院内に配備し、システム間の連携をとることで実現してきた。
【発明の開示】
【発明が解決しようとする課題】
【０００５】
しかしながら、医療行為で実行した内容が一度であるにも関わらず、その後の処理を複数のシステムで実施するため、その各々のシステムに対してデータ入力をしなければならないという手間が発生していた。
【０００６】
例えば、ある検査で薬剤を使用したとする。検査でその薬剤を使ったことは医療記録としてカルテ等に記載する必要が発生するし、また使った薬剤の費用請求をするために会計システムに使った薬剤の情報を入力する必要も発生する。更には使った薬剤を補充するために、物流システムに使った薬剤とその量の情報を入力する必要が発生するといった具合である。
【０００７】
また、病院内でこのような処理を実行するために全てのシステムを病院内に配置する必要があり、全てのシステムを導入するには膨大な費用がかかるという問題点もある。また、システム導入後、費用の面からも容易にシステム拡張行うことができない問題点もある。
【０００８】
また、医療に関する実績データを分析し、そこから有益な情報を導き出そうとする場合、多数の情報を集約する必要があるが、上述のシステムで集まる医療に関する情報は、導入したある１つの病院内だけでの情報となってしまい、多数の病院から情報を集約するためには、また別途大規模なシステムを各々の病院に導入しなければならないという問題点もあった。
【０００９】
本発明は、上記事情に鑑みてなされたものであり、医療行為の発生源での情報入力により、その後に発生する各種処理へ該入力した情報を適切に分配することのできる医療情報処理システムを提供することを目的としている。
【課題を解決するための手段】
【００１０】
本発明の医療情報処理システムは、医療行為に関する情報の入力及び表示を行う端末装置と、前記端末装置と第１のネットワークを介して接続された医療情報管理サーバとを含む院内医療情報システムと、前記医療情報管理サーバと第２のネットワークを介して接続された複数の情報処理サブシステムとからなる医療情報処理システムにおいて、前記端末装置が実施した前記医療行為の実施情報を前記医療情報管理サーバに登録する実施情報登録手段を有し、前記医療情報管理サーバが前記端末装置により登録された前記医療行為の前記実施情報に基づく関連実施情報を少なくとも１つ以上の前記情報処理サブシステムに転送する関連実施情報転送手段を有して構成される。
【発明の効果】
【００１１】
本発明によれば、医療行為の発生源での情報入力により、その後に発生する各種処理へ該入力した情報を適切に分配することができるという効果がある。
【発明を実施するための最良の形態】
【００１２】
以下、図面を参照しながら本発明の実施例について述べる。
【実施例１】
【００１３】
図１ないし図１１は本発明の実施例１に係わり、図１は医療情報処理システムの構成を示す構成図、図２は図１の端末装置の機能を示す機能ブロック図、図３は図１の端末装置の一例である内視鏡検査情報入出力端末装置の構成を示すブロック図、図４は図３の内視鏡検査情報入出力端末装置に構築されるソフトウエア構成を示す図、図５は図３の内視鏡検査情報入出力端末装置のＷｅｂアプリケーションプログラムの動作画面を示す図、図６は図１の医療情報管理サーバの機能を示す機能ブロック図、図７は図１の医療情報管理サーバのハードウエア構成を示す図、図８は図１の情報処理サブシステムの一例である物流情報処理サブシステムのハードウエア構成を示すブロック図、図９は図１の情報処理サブシステムの一例である診断情報処理サブシステムのハードウエア構成を示すブロック図、図１０は図１の端末装置の処理の流れを示すフローチャート、図１１は図１の医療情報管理サーバの処理の流れを示すフローチャートである。
【００１４】
図１に示すように、本実施例の医療情報処理システム１は、医療施設内に配置された院内医療情報システム２と、該院内医療情報システム２と情報送受信手段としてのＷＡＮ（Wide Area Network：例えばインターネット）３により接続された複数の情報処理サブシステム４とを備えて構成される。
【００１５】
院内医療情報システム２は、医療行為に関する医療行為データの入力及び表示を行う複数の端末装置５と、該端末装置５と情報送受信手段としてのＬＡＮ（Local Area Network）６により接続された端末装置５から入力された医療行為データを一元的に管理し情報処理を行う医療情報管理サーバ７とから構成される。
【００１６】
端末装置５は、図２に示すように、実施・診断情報入力機能５１、情報参照要求機能５２、情報表示機能５３、情報送受信機能５４等の各種機能を有している。
【００１７】
図３に示すように、例えば電子内視鏡装置１１に接続される端末装置５である内視鏡検査情報入出力端末装置５ａは、映像ケーブル１２、または通信ケーブル１３を通して電子内視鏡装置１１と接続される。
【００１８】
この内視鏡検査情報入出力端末装置５ａは、各種信号を処理する信号処理回路１４と、タッチパネル１６ａ及び表示ディスプレイ１６ｂからなるタッチパネル式ディスプレイ１６と、例えば電子内視鏡装置１１による検査・処置に使用される使用物品の情報を入力する識別コードリーダ１７とを備えて構成される。
【００１９】
信号処理回路１４は、電子内視鏡装置１１から入力される画像情報を基に、画像の圧縮処理及び伸張処理を行う圧縮伸張部１８と、タッチパネル式ディスプレイ１６の表示ディスプレイ１６ｂに表示する表示画像を制御する表示制御部１９と、タッチパネル式ディスプレイ１６のタッチパネル１６ａと識別コードリーダ１７とからの情報を入力するデータ入力部２０と、圧縮伸張部１８で処理される画像情報とデータ入力部２０より入力されるデータを記憶するデータ格納部２１と、ＬＡＮ６を介して医療情報管理サーバ７と情報の送受を行う着脱自在のＬＡＮカード２２と、各部を制御する情報処理部２３とを有して構成される。
【００２０】
実施・診断情報入力機能５１、情報参照要求機能５２は、タッチパネル１６ａ及び識別コードリーダ１７より入力されるデータにより情報処理部２３がソフトウエアにより実現する。
【００２１】
また、情報表示機能５３は、情報処理部２３が実行するソフトウエアに基づき表示制御部１９により実現される。さらに、情報送受信機能５４は、情報処理部２３が実行するソフトウエアに基づきＬＡＮカード２２により実現される。
【００２２】
上記識別コードリーダ１７は、例えば識別コードを表現している文字や図形の読み取りが可能となっている。
【００２３】
また、タッチパネル式ディスプレイ１６は、通常のパソコン用の表示ディスプレイ１６ｂ上に透明性の被タッチ領域を有したタッチパネル１６ａを設け、ペンや指等で被タッチ領域にタッチすることで、タッチ操作位置を検出し、例えばディスプレイ上に表示した情報を選択入力することが可能なディスプレイである。
【００２４】
なお、電子内視鏡装置１１は、一般に知られている電子内視鏡装置と同様であり、詳細には図示しないが、体腔内の被写体を撮像する電子内視鏡と映像信号を処理・出力するためのプロセッサ装置とからなる。電子内視鏡は、体内へ挿入するための細長の挿入部とこの挿入部の後端に設けられた操作部とを有し、操作部にはレリーズ指示を行うレリーズスイッチが設けられており、このレリーズスイッチの押下によりプロセッサ装置に画像の記録が可能となっている。
【００２５】
端末装置５は、ＬＡＮ６上で展開される様々なコンテンツを参照するために用いられるＷｅｂブラウザアプリケーションプログラム動作環境を搭載し、ＬＡＮカード２２を用いてＬＡＮ６を介して医療情報管理サーバ７からのＷｅｂアプリケーションプログラムをダウンロードし動作させることが可能である。
【００２６】
図４に端末装置５のソフトウェア構成を示す。図４に示すように、端末装置５を構成するソフトウェアシステムは、ドライバ群３０、ＯＳ（オペレーティングシステム）３１、グラフィック処理環境システム３２、Ｗｅｂブラウザシステム３３、Ｊａｖａ（Ｒ）ＶＭシステム３４、各種モジュール群システム３５で構成される。
【００２７】
本実施例の端末装置５では、ＷｅｂブラウザアプリケーションにＪａｖａ（Ｒ）ＶＭシステム３４を搭載することで、Ｊａｖａ（Ｒ）アプリケーションプログラムなどを動作させることが可能であるが、必要に応じて、各種Ｗｅｂアプリケーション動作環境をＷｅｂブラウザアプリケーションにプラグインし、動作対象とするＷｅｂブラウザアプリケーションを拡張することが可能となっている。
【００２８】
例えば端末装置５である内視鏡検査情報入出力端末装置５ａ上で情報入力、参照のために動作するアプリケーションプログラムを医療情報管理サーバ７よりＬＡＮ６を介してダウンロードすることで、内視鏡検査情報入出力端末装置５ａ上で検査に伴う様々なデータの入出力を行うことが可能であり、医師、看護師等の医療スタッフは検査場所での医療行為データの入力や参照、例えば診断情報、医療行為に伴い発生した画像（内視鏡画像など）への情報付加、検査実施情報などの入力、オーダ情報の参照や画像の参照を行うことが可能であるとともに、個々の端末装置に個別にアプリケーションプログラムをインストールする手間を削減することができる。
【００２９】
図５に内視鏡検査情報入出力端末装置５ａのＷｅｂアプリケーションプログラムの動作画面を示す。
【００３０】
図５が示す画面は、対象とする患者名４０、各種検査画像表示エリア４１、検査オーダ依頼情報表示エリア４２、実施情報表示エリア４３、診断情報入力エリア４４により構成される。各種検査画像表示エリア９には内視鏡画像、Ｘ線画像、病理画像など当該患者に関連した画像が表示される。検査オーダ依頼情報表示エリア４２では患者名、患者ID、オーダ目的、オーダ医師名などを表示する。実施情報表示エリア４３では、検査医師名、検査実施時間、使用スコープ、実施内容（検査部位名、生検有無）などを表示する。診断情報入力エリア４４では撮影した内視鏡画像を基に、医師が判断した診断名を入力する。
【００３１】
また、医療行為で使用する薬剤、処置具等の物品特定のためそれぞれに識別コードを割り振り、それらの識別コードを上記識別コードリーダ１７を使用して使用物品の識別コードを読み取ることで、使用物品情報の記録が行うことができ、記録が成功した使用物品情報を実施情報表示エリア４３に表示することで、記録済みであることを記録者が確認可能である。
【００３２】
なお、Ｗｅｂアプリケーションプログラムの動作画面は、医療情報管理サーバ７に対して（検査画像、検査オーダ依頼情報、実施情報、診断情報からなる）検査情報を送信する検査情報送信ボタン４５と、医療情報管理サーバ７に対して検査に必要な参照情報を要求するための情報参照要求を行う情報参照要求ボタン４６が設けられている。
【００３３】
医療情報管理サーバ７は、図６に示すように、ＬＡＮ６を介して端末装置５と情報を送受する第１の情報送受機能７１と、端末装置５からの検査情報を判別する実施情報判別機能７２と、判別した検査情報を送信するために情報処理サブシステム４を振り分ける検査情報送信振り分け機能７３と、端末装置５からの情報参照要求を情報処理サブシステム４に転送する情報参照要求転送機能７４と、ＷＡＮ３を介して情報処理サブシステム４と情報を送受する第２の情報送受機能７５の各種機能を有している。
【００３４】
図７は上記医療情報管理サーバ７のハードウェア構成を示す。図７に示すように、医療情報管理サーバ７は、上記端末装置５へＷｅｂアプリケーションプログラムを供給するための第１の情報送受機能７１を備えたアプリケーション供給サーバ８１と、入力データや病院内で共通に使用される各種マスタ情報の保存用キャッシュデータベースサーバ８２と、認証サーバ８３、暗号化サーバ８４、ログ監視サーバ８５等の規定サービス提供用サーバ８６と、検査情報判別機能７２、検査情報送信先振分け機能７３、情報参照要求転送機能７４を備えた情報処理サーバ８７と、外部の情報処理サブシステムとの連携を目的とし検査情報送信振分け先を特定するための振分け設定を保存する振分け設定保存データベース８８と、第２の情報送受機能７５を備えたゲートウェイサーバ８９とで構成される。
【００３５】
アプリケーション供給サーバ８１は、ＨＴＴＰサービス機能を搭載し、前記端末装置５上で使用するＷｅｂブラウザからの要求に応じて、ＷｅｂブラウザへＷｅｂアプリケーションを送信する。 Ｗｅｂアプリケーションは端末装置５へ情報入力インターフェースを提供する役割を担い、ユーザは利用目的に応じてＷｅｂアプリケーションは選択することが可能である。端末装置５に供給するＷｅｂアプリケーションは、情報処理サブシステム４側より提供されアプリケーション供給サーバ８１に配備される。
【００３６】
なお、Ｗｅｂアプリケーションは院内共通のフレームワーク上で動作されるため、ユーザインターフェースは類似のものとなり、アプリケーション操作の習熟が容易となる。
【００３７】
端末装置５上のＷｅｂアプリケーションにより入力された各種情報には、情報種類を表すへッダー情報が付加され、保存用キャッシュデータベースサーバ８２へ一時的に保存管理される。
【００３８】
保存用キャッシュデータベースサーバ８２では情報の一時的保存のほか院内で使用されるユーザマスタ、物品マスタなど各種マスタの管理を行い、Ｗｅｂアプリケーションからアプリケーション供給サーバ８１を経由してマスタを利用可能である。
【００３９】
保存用キャッシュデータベースサーバ８２に一時保存されている情報は情報処理サーバ８７へ移される。
【００４０】
情報処理サーバ８７はへッダー情報を基に検査情報の種類（検査画像、検査オーダ依頼情報、実施情報、診断情報等の種類）を識別する。識別された情報種類を基に、振分け設定保存データベース８８に振分け先を問い合わせる。
【００４１】
振分け先設定保存データベース８８には、院内医療情報システム２と接続される情報処理サブシステム４のネットワークアドレスと、取扱い情報の種類情報とが記録されており、情報処理サーバ８７から情報種類に応じた最適な振分け先情報処理サブシステム４を問い合わせられた場合、取扱い情報種類情報を基に振分け先情報処理サブシステム情報を返信する。
【００４２】
情報処理サーバ８７では、振分け先設定保存データベース８８より取得した振分け先の情報処理サブシステム４へ情報を送信する。
【００４３】
情報処理サブシステム４が情報を受信した場合、情報処理サブシステム４より院内医療情報システム２へ受信成功メッセージが送信され、保存用キャッシュデータベースサーバ８２から一時的保存している該当する情報を削除する。情報処理サブシステム４が入力データの受信に失敗した場合は、情報処理サブシステム４より院内医療情報システム２へ受信失敗メッセージを返され、院内医療情報システム２は再度送信を行う。
【００４４】
保存用キャッシュデータベースサーバ８２では恒久的な情報の記録保存は行わず、情報処理サブシステム４への記録が確認された段階で、情報を削除する。そのため院内情報のストレージシステムの拡張が必要無くシステムメンテナンスコストを軽減することが可能である。
【００４５】
端末装置５から参照要求の多い情報については情報処理サブシステム４から保存用キャッシュデータベースサーバ８２へ情報をキャッシュし、参照要求へのレスポンスの向上を図っている。
【００４６】
前記アプリケーション供給サーバ８１、情報処理サーバ８７として複数サーバをネットワーク接続したクラスタサーバを使用することで、医療行為データの情報処理能力の向上とシステム拡大に応じるための拡張性を保持している。
【００４７】
病院外部の情報送受信についてはＷＡＮやインターネツトなどを用いるため、情報セキュリティ性を高めるため、ゲートウェイサーバ８９を介し外部システムとの情報送受信を行っている。
【００４８】
その他に、認証、暗号化、ログ監視等の規定サービスの提供を目的とした規定サービス提供用サーバ８６が存在し、院内の全端末装置からサービスを利用可能である。
【００４９】
図８に情報処理サブシステム４の一つである物流情報処理サブシステム４ａを示す。  
通常情報処理サブシステムは病院外のシステム構築業者などにより運用される。院内で発生する諸々の情報を院外の情報処理サブシステムで分散して管理するため、複数のシステム構築業者の組み合わせによる情報処理サブシステム群の構築が可能となる。また、特定の情報のみ取り扱う事で,個々のシステムの複雑性を抑えることができるため、運用コストを抑えることが可能となる。
【００５０】
図８に示すように、物流情報処理サブシステム４ａでは、院内医療情報システム２から入力された使用薬剤、器材に関する実施情報（使用物品情報）はゲートウェイサーバ９１を介して、物流情報管理サーバ９２へ送信され、送り主情報とともに物流情報データベースサーバ９３へ記録する。
【００５１】
物流情報処理サブシステム４ａは、単一の医療施設のみを対象とせず、複数の医療施設から送信された情報をまとめて記録することが可能である。物流情報管理サーバ９２により用物品情報に基づき各医療施設で使用された物品の名称、使用量は自動的に集計され、使用分に関して新たに発注依頼を物流管理システム９４へ送信する。
【００５２】
そして、物流管理システム９４では発注依頼を受け購入した物品に関して、情報の送り先情報を基に適切な分量の物品を各医療施設へ補充する。
【００５３】
図９に情報処理サブシステム４の一つである診断情報処理サブシステム４ｂを示す。診断情報処理サブシステム４ｂでは、院内医療情報システム２より送信された診断情報はゲートウェイサーバ１０１を介して送り主情報とともに診断情報管理サーバ１０２へ送信される。診断情報管理サーバ１０２では送られた情報を適切な診断情報データベースサーバ１０３へ記録する。
【００５４】
診断情報処理サブシステム４ｂは、単一の医療施設のみを対象とせず、複数の医療施設から送信された診断情報を送信元情報とともに、まとめて記録することが可能である。既往歴、病歴、病状経過などを基に、類似した症例の検索等を行う場合など、複数の医療施設より記録収集された多くの症例を検索対象とするため、検索ヒット率、類似性を向上させることが可能である。
【００５５】
医療情報管理サーバ７は、端末装置５からの情報参照要求に基づき診断情報処理サブシステム４ｂにアクセスし、診断情報処理サブシステム４ｂは検査情報に基づき診断情報データベースサーバ１０３を検索し、端末装置５が要求する参照情報を医療情報管理サーバ７を介して端末装置５に提供する。
【００５６】
次に、端末装置５における処理の流れを内視鏡検査情報入出力端末装置５ａを例に説明する。図１０に示すように、内視鏡検査情報入出力端末装置５ａでは、ステップＳ１にてＷｅｂブラウザを起動して、ステップＳ２にてブラウザ上でタッチパネル１６ａを用いて実施情報（検査医師名、検査実施時間、使用スコープ、実施内容（検査部位名、生検有無））を入力する。
【００５７】
そして、ステップＳ３にて検査実施前に参照情報を参照するかどうかの入力を情報参照要求ボタン４６（図５参照）の押下により判断し、情報参照要求ボタン４６が押下されると、ステップＳ４にてＬＡＮ６を介して医療情報管理サーバ７に情報参照要求を送信し、ステップＳ５にて診断情報処理サブシステム４ｂからの参照情報をブラウザ上で確認しステップＳ６に進む。なお、ステップＳ３にて情報参照要求ボタン４６が押下されない場合にはそのままステップＳ６に進む。
【００５８】
ステップＳ６にて電子内視鏡装置１１による検査を実施した後、ステップＳ７にて検査で使用した物品の情報を識別コードリーダ１７により入力する。
【００５９】
そして、ステップＳ８にてブラウザ上でタッチパネル１６ａを用いて診断情報を入力し、ステップＳ９にて検査情報送信ボタン４５（図５参照）を押下して検査情報（検査画像、検査オーダ依頼情報、実施情報、診断情報）をＬＡＮ６を介して医療情報管理サーバ７に送信して処理を終了する。
【００６０】
これにより医療情報管理サーバ７は、診断情報をＷＡＮ３を介して診断情報処理サブシステム４ｂを送信し、診断情報処理サブシステム４ｂでは、診断情報を診断情報データベースサーバ１０３へ記録する。
【００６１】
次に、医療情報管理サーバ７における処理の流れを説明する。図１１に示すように、医療情報管理サーバ７では、ステップＳ１１にて内視鏡検査情報入出力端末装置５ａから検査情報を受信したかどうかを判断し、検査情報を受信しない場合には、ステップＳ１２にて内視鏡検査情報入出力端末装置５ａから情報参照要求があったかどうか判断し、情報参照要求がない場合にはステップＳ１１に戻る。
【００６２】
情報参照要求があると、ステップＳ１３にて内視鏡検査情報入出力端末装置５ａからの情報参照要求（＝参照要求情報）及び検査情報を保存用キャッシュデータベースサーバ８２に一時保存し、ステップＳ１４にて内視鏡検査情報入出力端末装置５ａからの検査情報に基づき振分け設定保存データベース８８を検索し、診断情報処理サブシステム４ｂのアドレスを取得することで、診断情報処理サブシステム４ｂにアクセスする。
【００６３】
そして、ステップＳ１５にて診断情報処理サブシステム４ｂより情報参照要求に応じた参照情報を取得し、ステップＳ１６にて取得した参照情報を保存用キャッシュデータベースサーバ８２に一時保存する。
【００６４】
次に、ステップＳ１７にて取得した参照情報をＬＡＮ６を介して内視鏡検査情報入出力端末装置５ａに送信し、ステップＳ１８にて保存用キャッシュデータベースサーバ８２に一時保存した情報参照要求及び検査情報を削除し、ステップＳ１９にて医療情報管理サーバ７での処理の終了が指示されたかどうか判断し、終了指示があれば処理を終了し、終了指示がなければステップＳ１１に戻る。
【００６５】
ステップＳ１１にて検査情報を受信すると、ステップＳ２０にて検査情報を保存用キャッシュデータベースサーバ８２に一時保存し、情報処理サーバ８７が検査情報に付加されたへッダー情報を基に検査情報の種類（検査画像、検査オーダ依頼情報、実施情報、診断情報等の種類）を識別し、識別された情報種類を基に、振分け設定保存データベース８８に振分け先を問い合わせる。
【００６６】
そして、ステップＳ２１にて検査情報の実施情報内の使用物品情報に基づき振分け設定保存データベース８８から物流情報処理サブシステム４ａのアドレスを取得することで、物流情報処理サブシステム４ａに使用物品情報を送信する。
【００６７】
また、ステップＳ２２にて検査情報の実施情報の診断情報に基づき基づき振分け設定保存データベース８８から診断情報処理サブシステム４ｂのアドレスを取得することで、物流情報処理サブシステム４ａに診断情報を送信する。
【００６８】
そして、ステップＳ２３にて保存用キャッシュデータベースサーバ８２に一時保存した検査情報を削除し、ステップＳ１９に進む。
【００６９】
このように本実施例では、医療行為の発生源での情報入力により、その後に発生する各種処理へ該入力した情報を適切に分配できる。
【００７０】
また、各処理を担当する情報処理サブシステムを病院外に配置し、システム構築・拡張コストを削減することが可能である。
【００７１】
さらには、各処理を担当する情報処理サブシステムを病院外に配置し、多数病院の情報を一括で扱うことにより、より大きなフィールドにおけるデータでのデータマイニングを可能とする。
【００７２】
本発明は、上述した実施例に限定されるものではなく、本発明の要旨を変えない範囲において、種々の変更、改変等が可能である。
【図面の簡単な説明】
【００７３】
【図１】本発明の実施例１に係る医療情報処理システムの構成を示す構成図
【図２】図１の端末装置の機能を示す機能ブロック図
【図３】図１の端末装置の一例である内視鏡検査情報入出力端末装置の構成を示すブロック図
【図４】図３の内視鏡検査情報入出力端末装置に構築されるソフトウエア構成を示す図
【図５】図３の内視鏡検査情報入出力端末装置のＷｅｂアプリケーションプログラムの動作画面を示す図
【図６】図１の医療情報管理サーバの機能を示す機能ブロック図
【図７】図１の医療情報管理サーバのハードウエア構成を示す図
【図８】図１の情報処理サブシステムの一例である物流情報処理サブシステムのハードウエア構成を示すブロック図
【図９】図１の情報処理サブシステムの一例である診断情報処理サブシステムのハードウエア構成を示すブロック図
【図１０】図１の端末装置の処理の流れを示すフローチャート
【図１１】図１の医療情報管理サーバの処理の流れを示すフローチャート
【符号の説明】
【００７４】
１…医療情報処理システム
２…院内医療情報システム
３…ＷＡＮ
４…情報処理サブシステム４
５…端末装置
６…ＬＡＮ
７…医療情報管理サーバ
５１…実施・診断情報入力機能
５２…情報参照要求機能
５３…情報表示機能
５４…情報送受信機能
７１…第１の情報送受機能
７２…実施情報判別機能
７３…検査情報送信振り分け機能
７４…情報参照要求転送機能
７５…第２の情報送受機能
代理人    弁理士    伊藤  進
【図１】
2005189994.tif 000003
【図２】
2005189994.tif 000004
【図３】
2005189994.tif 000005
【図４】
2005189994.tif 000006
【図５】
2005189994.tif 000007
【図６】
2005189994.tif 000008
【図７】
2005189994.tif 000009
【図８】
2005189994.tif 000010
【図９】
2005189994.tif 000011
【図１０】
2005189994.tif 000012
【図１１】
2005189994.tif 000013